(57)【要約】ディスクキャリヤ（１０）は、サイドフラップ（８２、８４）内の連接構造、下部カバー（１６０）内の有効なヒンジ（１６８）、および静電気を減少させるための接地路を有する。図１はディスクキャリヤ（１０）の分解図である。
2005521600.tif 000002
【特許請求の範囲】
【請求項１】
複数のディスクを収納するためのディスクキャリヤであって、
ディスクをその中に入れるための内部空間を形成する、少なくとも２つの対向する側壁と少なくとも２つの対向する端壁と、上部開口部を画定する上縁と、下部開口部を画定する下縁とを有し、内部にディスクを固定するために、前記側壁が複数のディスク閉じ込めリブと複数のスロット部分を有し、前記端壁が、ディスクへのアクセスのために少なくとも１つの入口を有するディスクカセットと、
少なくとも２つの下部カバー端を有し、前記ディスクカセットの下端に取り付けるように構成配置され、前記下部カバー端とディスクカセット端壁とが協働接続構造を有する側部接続領域を画定する、前記下部開口部をカバーするための下部カバーと、
上縁に取り付けて、前記少なくとも１つの端壁入口を隠すための少なくとも1つのフラ
ップを有するように構成配置され、各フラップが下部フラップ部分自体が協働接続構造に外向きにまたがり、その自然位置へと滑らかに戻り、連接構造部分で前記フラップが曲がり、前記側部接続領域に接続されるように、前記下部フラップ部分を画定する連接構造を有する、前記上部開口部と前記少なくとも１つの端壁入口をカバーするための上部カバーと
を備えることを特徴とするディスクキャリヤ。
【請求項２】
前記上部カバーと前記下部カバーの構造を逆にする請求項１に記載のディスクキャリヤ。
【請求項３】
各フラップが下部カバーに接続する請求項１に記載のディスクキャリヤ。
【請求項４】
各フラップ内の薄肉領域によって前記連接構造が作られる請求項１に記載のディスクキャリヤ。
【請求項５】
前記協働接続構造としてタブとスロットを使用し、前記タブを前記側部接続領域に位置付ける請求項１に記載のディスクキャリヤ。
【請求項６】
前記上部カバーを前記ディスクカセットに取り付ける際に、前記連接構造を前記少なくとも1つの入口の下に位置付ける請求項１に記載のディスクキャリヤ。
【請求項７】
前記少なくとも1つのフラップはフラップ上縁を有し、前記連接構造を前記フラップ上縁
に位置付ける請求項１に記載のディスクキャリヤ。
【請求項８】
前記下部フラップ部分がわずかに反っている請求項１に記載のディスクキャリヤ。
【請求項９】
前記下部カバーが、前記下部カバーをディスクカセットに取り付ける際に、ディスクキャリヤの下縁と同一平面である下部カバー表面を有する請求項１に記載のディスクキャリヤ。
【請求項１０】
前記ディスクカセットと、前記上部カバーと、前記下部カバーとがそれぞれ成形ポリマーから作られる請求項１に記載のディスクキャリヤ。
【請求項１１】
前記成形ポリマーが、ポリカーボネート、ポリプロピレン、ポリエステルより成るポリマー群から選択される少なくとも1つのポリマーで構成される請求項１０に記載のディスク
キャリヤ。
【請求項１２】
下部表面を有し、前記ディスクと下部表面間に導電性材料を有する請求項１に記載のディスクキャリヤ。
【請求項１３】
下部表面を有し、導電性ストリップが前記下部表面にディスクを接続する請求項１に記載のディスクキャリヤ。
【請求項１４】
前記下部カバーが有効なヒンジを有する請求項１に記載のディスクキャリヤ。
【請求項１５】
複数のディスクを収納するためのディスクキャリヤであって、
ディスクをその中に入れるための内部空間を形成する、少なくとも２つの対向する側壁と少なくとも２つの対向する端壁と、上部開口部を画定する上縁と、内周を有して下部開口部を画定する下縁とを有し、内部にディスクを固定するために、前記側壁が複数のディスク閉じ込めリブと複数のスロット部分を有し、前記端壁が、ディスクへのアクセスのために少なくとも１つの下向きに延びるU字型開口部を有するディスクカセットと、
１つの下部カバー縁、少なくとも２つの下部カバー端、およびそれ自身を拡大縮小させるために、前記下部カバー端間に有効なヒンジを有し、前記下部カバー縁が前記下端の内周に対して整列するように構成配置される、下部開口部をカバーするための下部カバーと、
前記ディスクカセットの上縁に取り付けるように構成配置され、前記少なくとも1つの
端壁のU字型開口部を隠すために少なくとも1つのフラップを有し、各フラップが前記下部カバーへと延びてそれと接続する、前記上部開口部と前記少なくとも１つの端壁入口をカバーするための上部カバーと、
を備えることを特徴とするディスクキャリヤ。
【請求項１６】
前記上部カバーと前記下部カバーの構造を逆にする、請求項１５に記載のディスクキャリヤ。
【請求項１７】
前記少なくとも1つのフラップを前記下部カバーに接続するために、協働するタブとスロ
ットを使用する請求項１５に記載のディスクキャリヤ。
【請求項１８】
前記下部カバーが、ディスクカセットに取り付ける際に、前記ディスクキャリヤの下縁と同一平面である下部カバー表面を有する請求項１５に記載のディスクキャリヤ。
【請求項１９】
前記ディスクカセットと、前記上部カバーと、前記下部カバーとがそれぞれ成形ポリマーから作られる請求項１５に記載のディスクキャリヤ。
【請求項２０】
前記成形ポリマーが、ポリカーボネート、ポリプロピレン、ポリエステルより成るポリマー群から選択される少なくとも1つのポリマーで構成される請求項１９に記載のディスク
キャリヤ。
【請求項２１】
下部表面を有し、前記ディスクと前記下部表面間の導電性材料から作られる請求項１５に記載のディスクキャリヤ。
【請求項２２】
下部表面を有し、導電性ストリップが前記下部表面に前記ディスクを接続する請求項１５に記載のディスクキャリヤ。
【請求項２３】
前記少なくとも1つの上部カバーフラップは、下部フラップ部分自体が外向きに動くこと
ができるように、下部フラップ部分を画定する連接構造を有する請求項１５に記載のディスクキャリヤ。
【請求項２４】
複数のディスクを収納するためのディスクキャリヤであって、
上部開口部を画定する上縁、下部開口部を画定する下縁、およびディスクへのアクセス
のために少なくとも1つの端壁入口を有する、ディスクを入れるための収納手段と、
前記上部開口部と前記少なくとも1つの端壁入口をカバーするために、前記収納手段に
取り付けられる上部カバー手段と、
前記下部開口部をカバーするために、前記収納手段に取り付けられる下部カバー手段とを備えることを特徴とするディスクキャリヤ。
【請求項２５】
複数のディスクを収納するためのディスクキャリヤを使用する方法であって、
ａ）開口上部、開口下部および少なくとも1つの端壁入口を有するディスクカセットと
、下部フラップ部分を画定する連接構造を有する少なくとも１つのフラップを含む上部カバーと、協働接続構造を有する下部カバーとを設けることと、
ｂ）少なくとも1つのディスクを用意することと、
ｃ）前記少なくとも1つのディスクを前記ディスクカセットに挿入することと、
ｄ）前記ディスクカセットに前記下部カバーを取り付けることと、
ｅ）前記ディスクカセットに前記上部カバーを取り付け、前記下部フラップ部分が前記下部カバーの協働接続構造の上にまたがるようにして、少なくとも部分的に前記下部カバーに前記フラップを接続することと、
ｆ）前記フラップを内側に押して、接続を確実なものにすることと
を含むことを特徴とする方法。
【請求項２６】
複数のディスクを収納するためのディスクキャリヤを使用する方法であって、
ａ）開口上部、開口下部、および少なくとも1つの端壁入口を有するディスクカセット
と、それ自身を拡大縮小させるために、少なくとも２つの下部カバー端と前記下部カバー端間に有効なヒンジとを有する下部カバーと、前記下部カバーへと延びてそれと接続する少なくとも1つのフラップを含む上部カバーとを設けることと、
ｂ）少なくとも1つのディスクを用意することと、
ｃ）前記少なくとも1つのディスクを前記ディスクカセットに挿入することと、
ｄ）前記ディスクカセットに前記上部カバーを取り付けることと、
ｅ）前記下部カバーを収縮させることと、
ｆ）前記下部開口部内へと少なくとも部分的に前記下部カバーを挿入することと、
ｇ）前記下部カバーを拡大させて前記下部カバーと前記上部カバーとを接続することとを含むことを特徴とする方法。
【発明の詳細な説明】
【技術分野】
【０００１】
本発明は特定の品物、または品物または材料のセットを保持するために構成された容器に関する。特に、本発明は、製造工程または輸送工程中に、磁気ディスクまたはウエハディスク等のコンピュータ部品を収納し保護するために使用されるディスクキャリヤまたは容器に関し、ディスクキャリヤは、ディスクカセット、上部カバー、および下部カバーを備え、１つの実施態様では上部カバーが連接構造を有し、もう１つの実施態様では下部カバーが有効なヒンジを有する。
【背景技術】
【０００２】
計算処理装置において、精度及び低い公差が期待されているため、製造業者は部品を製造するためにより優れた設備を期待している。製造工程において磁気ディスク、ウエハディスクまたは同様の品目を収納し保護するために、ボート、バスケットまたはカセットとしても知られている特殊なキャリヤまたは容器が使用されている。従来の容器の１つのタイプは、開口上部と開口下部および上部カバーと下部カバーとを有するディスクカセットを備えている。それぞれが射出成形によって別々に形成される。ディスクカセットは硬質プラスチック、例えば導電性であってもよいポリカーボネートで一体成形される。ディスクカセットは、上部部分で垂直に延び、下部部分で開口下部まで内向きに湾曲した、長く延びた側壁と、U字型開口部を画定するU字型輪郭の垂直の端壁とを有する。上部カバーはポリカーボネートまたはポリプロピレン、または多くの類似した射出グレードのポリマーで形成されていてもよい。ディスクカセットは、側壁上部と端壁の輪郭に沿い、側壁上部と端壁に対して連続的に整列するような形状に作られ、一般的に、留め金で止まるか、または端壁のU字型輪郭の下縁に静止する。下部カバーは上部カバーと同様のポリマーで形
成することができ、通常は矩形でトレイ形状である。下部カバーはディスクカセットの開口下部と係合し、開口下部によって摩擦保持されるように成形されている。この種の容器の例は、米国特許第４，５５７，３８２号及び米国特許第５，２５３，７５５号明細書に見出される。もう１つの例は、Narisawaらによる、「ディスク容器」（"Disk Container"）と題された米国特許第６，０７０，７３０号明細書であり、その内容をここに参照として組み込むものである。
【０００３】
この種の容器の幾つかの変形が、Kikuchiによる、「ハードディスク容器（"Hard Disk Container"）」と題された米国特許第４，７２１，２０７号明細書と、Boehmら、による
、「複数のディスク形状の品物用容器、及びその容器部品（"Container for Plurality of Disk-Shaped Articles and Container Part Thereof）」と題された米国特許第４，７
７９，７３２号明細書と、Maenkeによる、「ディスク容器用のクッション付きカバー（"Cushioned Cover for Disk Container"）」と題された米国特許第５，２５３，７５５号明細書に開示されている。これらの容器は１つまたは２つの共通のテーマを有している。第１に、下部カバーがディスクカセットの下縁または周囲と係合し、下縁または周囲によって摩擦保持されるように設計されている。第２に、上部カバーは、ディスクカセットの側壁の上に置かれ、U字型輪郭の真下で側壁に取り付けられるフラップを有している。Boehmの明細書では、１つのフラップが上部カバーを外れて延び、他方のフラップが下部カバーを外れて延びる。これらのフラップは、端壁を通してディスクへのアクセスを可能とする、U字型輪郭等の入口またはオリフィスを隠す。
【０００４】
フラップを取り付ける手段は通常以下の通りである。「閉止部３、４が略L字型の断面
を有する。それらは好都合なことに、弾力的に変形可能なプラスチック材料、特に熱可塑性プラスチック材料から作られ、突起８または８’を超えて突出するのに充分な全距離に亘って、L字型のアームまたは壁９、９’を曲げることができる。壁９、９’は、その弾
力性により、突起８、８’の上にパチッと止まり、部品１と２を共にロックする。」（米国特許第４，７７９，７３２号明細書より抜粋）この取り付け手段は、ディスクキャリヤに収納される端のディスク上に多くの粒子分布を含む原因となっており、それはクリーンルーム製造工程において望ましくない。その結果として、製造業者は、他のディスクを保護するために、ディスクキャリヤのそれぞれの端に、製品において使用されないディスクである「ダミー」ディスクを置くことがある。これらのダミーディスクを必要としないなら、製造業者にとってかなりの経費節約を提供する一方で、スループットを上昇させることができるであろう。
【０００５】
上述の問題に加えて、ディスクキャリヤは、静電気または他の電荷をディスクから消散させ、それによって偶発的なアーチ形成や他の意図しない事象に対してディスクをさらに保護するための完全な接地路を含んでいない。多くの場合、ディスクカセットだけが導電性である。
【発明の開示】
【発明が解決しようとする課題】
【０００６】
従って、ディスクキャリヤを開閉することによって作り出される粒子分布をかなり減少させることができ、ディスクから、利用可能であれば接地へと、効率的また費用効果的に、望ましくない電荷を消散させることができるディスクキャリヤを有することが好都合であろう。
【課題を解決するための手段】
【０００７】
ディスクキャリヤは、複数のディスクを収納し、保管するために使用され、開口上部、開口下部、端壁入口を有するディスクカセット、上部カバーおよび下部カバーを備えている。上部カバーは、端壁入口をカバーするためのフラップを有する。ディスクキャリヤを開閉することから生じる粒子分布を減少させるために、ディスクキャリヤの一実施態様は、フラップ内に連接構造を実装する。もう１つの実施態様は、下部カバーに有効なヒンジを実装する。更に、ディスクキャリヤは静電気や他の電荷をディスクから消散させるための接地路を有する。
【０００８】
本発明は、ディスクカセットの端壁のU字型輪郭または端壁内のオリフィスを隠すため
に、上部カバーまたは下部カバーから延びる連接構造のあるフラップを備えたディスクキャリヤを提供する。フラップの連接構造を適宜位置付けることにより、「スナップ」なしに入口を隠すことができる。粒子分布を減少させるために、連接構造のあるフラップを備える代わりに、あるいは備えることに加えて、まず端壁入口を隠すためにディスクカセットを包み、次にディスクカセットを上部カバーと下部カバーの間に止めるために互いに取り付けることによって、上部カバーと下部カバーを互いに取り付けてもよい。最後に、ディスクとディスクキャリヤの下部表面間に電気路を作り出す、導電性材料または導電性材料のストリップをディスクキャリヤに使用することによって、ディスクキャリヤを接地表面に設置した場合に、ディスクから接地路が作り出される。
【０００９】
本発明の開発中に、国際的なコンピュータ製造業者によって実施された初期のテストでは、その製造業者が現在使用している２５枚のディスク容量のディスクキャリヤアッセンブリと、同じ容量を有する本発明の好ましい一実施形態のディスクキャリヤをそれぞれクリーニングし、ディスクをロードし、２０回の完全な熱サイクルの間、ラッチおよびアンラッチを繰り返した。その後、ディスク上の粒子分布を測定した結果、既存のディスクキャリヤアッセンブリでは、位置１においてディスク上に９５個の粒子があり、位置２５においてはディスク上に１９０個の粒子があったが、本発明では、位置１においてディスク上に４個だけしか粒子がなく、位置２５においてはディスク上に２２個の粒子しかなかった。更に、本発明の位置２５におけるディスク上の２２個の粒子は、実際には１つの大き
な粒子であった。この結果は、端の位置にあるディスクのみならず、ディスクキャリヤ内のどのディスクにとっても非常に望ましい。
【００１０】
ディスクキャリヤの第１の実施態様は、ディスクカセット、上部カバーおよび下部カバーを備えている。ディスクカセットは、複数のディスクをその中に入れて収納するための内部空間を形成する、少なくとも２つの対向する側壁と少なくとも２つの対向する端壁と、上部開口部を画定する上縁と、下部開口部を画定する下縁とを有する。側壁は、ディスクカセットの内部にディスクを固定するために、複数のディスク閉じ込めリブと、複数のスロット部分を有する。端壁は、ディスクへのアクセスのために、少なくとも１つの入口を有する。下部カバーは、少なくとも２つの下部カバー端を有し、下部開口部をカバーするために、ディスクカセットの下縁に取り付けられるように構成配置される。側壁と下部カバー端とが共に側部接続領域を画定する。上部カバーは上縁に取り付けて、上部開口部と少なくとも１つの端壁入口をカバーするように構成配置される。少なくとも１つの端壁入口を隠すために、上部カバーは少なくとも１つのフラップを有する。少なくとも1つの
フラップは、下部フラップ部分を画定する連接構造を有し、下部フラップ部分自体が協働接続構造にまたがるように外側に動いてフラップを側部接続領域に接続することができ、フラップが自然位置に戻る際には、「パチンと音をたてる」ことなく、むしろ滑らかに戻り、フラップはその連接構造で曲がるようになっている。
【００１１】
ディスクキャリヤの第2の実施態様は、ディスクカセット、上部カバーおよび下部カバ
ーを備えている。ディスクカセットは、複数のディスクをその中に入れて収納するために内部空間を形成する、少なくとも２つの対向する側壁と少なくとも２つの対向する端壁と、上部開口部を画定する上縁と、内周を有して下部開口部を画定する下縁とを有する。側壁は、ディスクカセットの内部にディスクを固定するために、複数のディスク閉じ込めリブと、複数のスロット部分を有する。端壁は、ディスクへのアクセスのために、少なくとも１つの入口を有する。下部カバーは、１つの下部カバー縁、少なくとも２つの下部カバー端、および下部カバーを拡大縮小させるための、下部カバー端間にある有効なヒンジを有する。下部カバー縁は、下部カバーが下部開口部をカバーするように、内周に対して整列するように構成配置される。上部カバーは上縁に取り付けて、上部開口部と少なくとも１つの端壁入口をカバーするように構成配置される。少なくとも１つの端壁入口を隠すために、上部カバーは少なくとも１つのフラップを有し、そのフラップは下部カバーへと延びて下部カバーに接続する。
【００１２】
操作に際して、開口上部、開口下部、および少なくとも1つの端壁入口を有するディス
クカセットと、下部フラップ部分を画定する連接構造を有する少なくとも1つのフラップ
を含む上部カバーと、下部カバーと、少なくとも1つのディスクとを備えるディスクキャ
リヤを提供することによって、第1の実施態様が使用される。少なくとも1つのディスクをディスクカセットに挿入し、下部カバーをディスクカセットに取り付ける。上部カバーをディスクカセットに取り付け、ディスクカセットまたは下部カバー上の接続構造上に下部フラップ部分がまたがるようにして、ディスクカセットと下部カバーに少なくとも部分的にフラップを接続する。次に、フラップを内側に押して、その接続を確実にする。当業者であれば、他の順序によっても同様に効果的にこれらのステップを実施できることに気付くであろう。
【００１３】
操作に際して、開口上部、下部開口、および少なくとも1つの端壁入口を有するディス
クカセットと、少なくとも２つのカバー端と、下部カバーを拡大縮小させるために両端の間に置かれる有効なヒンジを有する下部カバーと、下部カバーへと延びて下部カバーに接続する少なくとも1つのフラップを含む上部カバーと、少なくとも1つのディスクとを備えるディスクキャリヤを提供することによって、第２の実施態様が使用される。ディスクをディスクカセットに挿入し、上部カバーをディスクカセットに取り付ける。下部を縮小さ
せ、少なくとも部分的に下部開口部内へと挿入し、次に拡大させて下部カバーと上部カバーとを接続する。当業者であれば、他の順序によっても同様に効果的にこれらのステップを実施できることに気付くであろう。
【発明を実施するための最良の形態】
【００１４】
好ましい実施態様は、本発明によるディスクキャリヤに関するものである。図１〜７に示すように、ディスクキャリヤ１０の第1の実施態様は、ディスクカセット２０、下部カ
バー６０、および上部カバー８０を備えている。ディスクカセット２０は、複数のディスク（図示せず）をその中に入れ収納するための内部空間２６を構成する、２つの対向する側壁２２と２つの対向する端壁２４と、上部開口部３０を画定する上縁２８と、下部開口部３６を画定する下縁３２とを有する。側壁２２は、ディスクカセットの内部空間２６にディスクを固定するために、複数のディスク閉じ込めリブ３８と、複数のスロット部分４０を有する。業界標準では、２５枚のディスクを収納することになっている。端壁はそれぞれ、ディスクへのアクセスのために、１つの入口またはU字型輪郭の上部４２を有する
。下部カバー６０は、２つの下部カバー端６６を有し、下部開口部３６をカバーするために、下縁３２に整列し、取り付けるように構成配置される。下部カバー６０は、有効なヒンジ６８も有している。端壁２４と下部カバー端６６が共に側部接続領域６２を画定する。
【００１５】
上部カバー８０は上縁２８に整列し取り付けて、上部開口部３０と端壁入口４２をカバーするように構成配置される。２つの端壁入口４２を隠すために、上部カバー８０は２つの対向するフラップ８２を有し、フラップの上縁８４に沿って、それぞれが上部カバー本体８１に対して接合される。各フラップ８２は、下部フラップ部分８８自体が下部カバー６０上の協働接続構造にまたがり、その自然位置へと滑らかに戻って、側部接続領域６２に対してフラップ８２を接続するように、下部フラップ部分８８を画定する連接構造８６を有する。連接構造８６は、フラップ上縁８４等の、フラップ８２に沿ったどの場所にも位置付けることができる。好ましくは、フラップ８２を接続する前に、ディスクカセットの内部をカバーするように、フラップ内の薄肉部分である連接構造８６を入口の下に位置付ける。この接続はどちらの端壁２４上で発生してもよく、好ましくは、下部カバー６０上で、あるいはこれらの組合せまたはその両方で発生してもよい。当業者なら気付くように、キャッチ、ラッチ、協働タブおよびスロット等、多数の方法でこの接続を行うことができる。好ましくは、下部カバー上の丸められたタブまたはこぶ９０と、フラップ上の矩形スロット９２を使用してこの接続を行う。下部フラップ部分８８は小さな、あるいはわずかな反り（図示せず）を有することが好ましい。多数の熱サイクルとクリーニングを繰り返した後、下部フラップ部分が幾分崩壊するかもしれない。小さな反りは、フラップがタブを乗り越えて、フラップと下部カバー間のデリッダ等のツールを位置付けるのに充分な距離をおいてそこに留まっていることができるようにする。
【００１６】
ディスクキャリヤ１０の第2の実施態様は、図９〜１５に示すように、ディスクカセッ
ト１２０、下部カバー１６０、および上部カバー１８０を備えている。ディスクカセット１２０は、複数のディスク（図示せず）をその中に入れて収納するための内部空間１２６を構成する、２つの対向する側壁１２２と２つの対向する端壁１２４と、上部開口部１３０を画定する上縁１２８と、内周１３４を有し、下部開口部１３６を画定する下縁１３２とを有する。側壁１２２は、ディスクカセット１２０の内部空間１２６にディスクを固定するために、複数のディスク閉じ込めリブ１３８と、複数のスロット部分１４０を有する。端壁１２４はそれぞれ、ディスクへのアクセスのために、１つの入口またはU字型輪郭
の上部１４２を有する。下部カバー１６０は、下部カバー縁１６４、２つの下部カバー端１６６、および下部カバー１６０を拡大縮小させるための、下部カバー端１６６間にある有効なヒンジ１６８を有する。必要であれば、この作業を手動で行うために、下部カバーはフィンガーグリップ１７２を有する。下部カバー１６０は、下部開口部１３６をカバー
するために、内周１３４に対して整列するように構成配置される。上部カバー１８０は上縁１２８に整列して取り付けて、上部開口部１３０と２つの端壁入口１４２をカバーするように構成配置される。端壁入口を隠すために、上部カバー１８０は２つのフラップ１８２を有し、そのフラップ１８２は下部カバー１６０へと延びて下部カバー１６０に接続する。これらのフラップ１８２は、それ自体が外向きに移動できる下部フラップ部分１８８を画定する連接構造１８６を有することができる。
【００１７】
好ましい実施態様のディスクキャリヤ１０は下部表面４４、１４４を有し、その上に全装置が置かれる。各実施態様において、この下部表面は、ディスクカセット２０、１２０の下縁３２、１３２と、下部カバー６０、１６０の下部カバー表面７０、１７０と、上部カバー８０、１８０のフラップ８２、１８２の部分、あるいはそれらの組合せを含んでいてよい。第1の実施態様では、下部表面は下部カバー６０の下部カバー表面７０を備えて
いることが好ましい。なぜなら、この構成は現在使用されているディスクキャリヤの構成に最も似通っており、製造工程における再ツーリングの量が最も少なくて済むからである。あるいは、下部カバー表面７０と下縁３２の両方がディスクキャリヤ１０の下部表面４４を構成するように、下部カバー表面７０が、ディスクカセット２０の下縁３２と同一平面であってもよい。
【００１８】
ディスクキャリヤ１０、下部カバー、および上部カバーはそれぞれ成形ポリマーから作られる。成形ポリマーは、ポリカーボネート、ポリプロピレン、ポリエステル、これらの組合せ、あるいは当業者に公知の他の材料から選択さてよい。材料を適宜選択することによって、ディスクキャリヤ１０はディスクと下部表面間で静電気を消散させることができる。あるいは、ディスクカセットと下部カバーを通して、複数の導電性ストリップ（図示せず）がディスクと下部表面とを接続する。これらのストリップを成形してディスクカセットまたはカバーにすることができ、ディスクとディスクキャリヤの下部表面間に電気接続を行うために、ディスクに接触する必要が無い。導電性材料または好ましくは導電性ストリップ、あるいはそれらの組合せを使用して、ディスクキャリヤ１０を接地面に設置することによって、ディスクキャリヤ１０を接地することができる。
【００１９】
操作に際して、内部空間を形成する２つの側壁と２つの端壁、開口上部、開口下部、および各端壁上のU字型輪郭の上部を有するディスクカセットと、それぞれ下部フラップ部
分を画定する連接構造を有する２つのフラップを含む上部カバーと、各端にタブを備えた２つの下部カバー端を有する下部カバーと、少なくとも1つのディスクとを備えるディス
クキャリヤを提供することによって、第1の実施態様が使用される。少なくとも1つのディスクをディスクカセットに挿入し、下部カバーをディスクカセットに取り付ける。上部カバーをディスクカセットに取り付け、下部カバー上に下部フラップ部分がまたがるようにして、下部カバーに少なくとも部分的に各フラップを接続する。その後、フラップを内側に押して、その接続を確実にする。当業者であれば、他の順序によっても同様に効果的にこれらのステップを実施できることに気付くであろう。
【００２０】
操作に際して、内部空間を形成する２つの側壁と２つの端壁、開口上部、開口下部、および各端壁上のU字型輪郭の上部を有するディスクカセットと、２つのフラップを含む上
部カバーと、少なくとも２つのカバー端と、下部カバーを拡大縮小させるために両端の間に置かれる有効なヒンジとを有する下部カバーと、少なくとも1つのディスクとを備える
ディスクキャリヤを提供することによって、第２の実施態様が使用される。少なくとも1
つのディスクをディスクカセットに挿入し、上部カバーをディスクカセットに取り付ける。下部カバーを縮小させ、下部開口部内へと挿入し、次に拡大させて下部カバーと上部カバーとを接続する。当業者であれば、他の順序によっても同様に効果的にこれらのステップを実施できることに気付くであろう。
【００２１】
ディスクキャリヤの好ましい実施態様について説明してきたが、多数の変更及び修正が可能であり、本発明の範囲は請求の範囲によって限定されるものである。例えば、入口の構成に応じて、上部カバーと下部カバーの構造を逆にすることができる。
【図面の簡単な説明】
【００２２】
【図１】本発明によるディスクキャリヤの第1の実施態様の分解図。
【図２】図１におけるディスクキャリヤの斜視図。
【図３】図１におけるディスクキャリヤの他の分解図。
【図４】図１におけるディスクキャリヤの他の斜視図。
【図５】図１におけるディスクキャリヤの平面図。
【図６】図１の線Ａ−Ａにおけるディスクキャリヤの断面図。
【図７】図１におけるディスクキャリヤの底面下面図。
【図８】図６における角の境界部分Bの拡大図。
【図９】本発明によるディスクキャリヤの第2の実施形態の分解図。
【図１０】下部カバーを外した、図９におけるディスクキャリヤの斜視図。
【図１１】図９におけるディスクキャリヤの他の分解図。
【図１２】下部部分を部分的に切り払った、図９におけるディスクキャリヤの他の斜視図。
【図１３】図９におけるディスクキャリヤの平面図。
【図１４】図１３の線Ａ−Ａにおけるディスクキャリヤの断面図。
【図１５】図９におけるディスクキャリヤの底面図。
【図１】
2005521600.tif 000003
【図３】
2005521600.tif 000004
【図２】
2005521600.tif 000005
【図４】
2005521600.tif 000006
【図５】
2005521600.tif 000007
【図６】
2005521600.tif 000008
【図７】
2005521600.tif 000009
【図８】
2005521600.tif 000010
【図９】
2005521600.tif 000011
【図１１】
2005521600.tif 000012
【図１０】
2005521600.tif 000013
【図１２】
2005521600.tif 000014
【図１３】
2005521600.tif 000015
【図１４】
2005521600.tif 000016
【図１５】
2005521600.tif 000017
【国際調査報告】
2005521600.tif 000018
2005521600.tif 000019